(57)【要約】【課題】使用用途の拡大を図り、基材への装着作業をワンタッチで、しかも連続して行なうことができるようにしたアタッチ部材とする。【解決手段】線状材の一端に、内部に係止部を設けた受穴を形成した受部を設け、他端に前記受穴に挿し込まれ、係止部と係合する係合部を形成した挿し込み部を設けたアタッチ部材において、このアタッチ部材を複数本並べ、各々の前記した受部の線状材の保持面と反対面に抜け止め部を備えた支持部を備え、前記した抜け止め部にはカット部を介してランナーが接続され、アッセンブリを構成してあることとし、前記したアタッチ部材は全体がプラスチックで成形され、挿し込み部を含めた線状材及び支持部には延伸加工が施されていることとし、前記した挿し込み部には挿し込み操作用の突起部が複数個連続的に並設されていることとする。【選択図】          図１
2004155441.tif 000002
【特許請求の範囲】
【請求項１】
線状材の一端に、内部に係止部を設けた受穴を形成した受部を設け、他端に前記受穴に挿し込まれ、係止部と係合する係合部を形成した挿し込み部を設けたアタッチ部材において、このアタッチ部材を複数本並べ、各々の前記した受部の線状材の保持面と反対面に抜け止め部を備えた支持部を備え、前記した抜け止め部にはカット部を介してランナーが接続され、アッセンブリを構成してあることを特徴とするアタッチ部材。
【請求項２】
前記したアタッチ部材は全体がプラスチックで成形され、挿し込み部を含めた線状材及び支持部には延伸加工が施されていることを特徴とする請求項１に記載のアタッチ部材。
【請求項３】
前記した挿し込み部には挿し込み操作用の突起部が複数個連続的に並設されていることを特徴とする請求項１または請求項２に記載のアタッチ部材。
【発明の詳細な説明】
【０００１】
【発明の属する技術分野】
本発明はアタッチ部材、特に物品を基材に取り付けたり、吊持する等、幅広い使用用途が考えられるアタッチ部材に関し、しかもその装着が連続して実行することができることとしたアタッチ部材に関する。
【０００２】
【従来の技術】
従来、この種のアタッチ部材としては、主に各種商品の吊持陳列用として例えば特願２００１−０７３６４９等に示されたものがある。
【０００３】
【発明が解決しようとする課題】
しかしながら、前記した従来のアタッチ部材は、製品として一本づつの単品構成とされているもので、作業は全て手作業となるうえ、構成されるループ自体を他の基材へ装着することはでき得ず、その使用用途が限定されてしまうものとなっていた。
【０００４】
【発明の目的】
そこで、本発明は上記した従来の実情、問題点に着目してなされたもので、係る問題点を解消して、使用用途の拡大を図り、基材への装着作業をワンタッチで、しかも連続して行なうことができるようにしたアタッチ部材を提供することを目的としている。
【０００５】
【課題を解決するための手段】
この目的を達成するために、本発明に係るアタッチ部材は線状材の一端に、内部に係止部を設けた受穴を形成した受部を設け、他端に前記受穴に挿し込まれ、係止部と係合する係合部を形成した挿し込み部を設けたアタッチ部材において、このアタッチ部材を複数本並べ、各々の前記した受部の線状材の保持面と反対面に抜け止め部を備えた支持部を備え、前記した抜け止め部にはカット部を介してランナーが接続され、アッセンブリを構成してあることを特徴とし、前記したアタッチ部材は全体がプラスチックで成形され、挿し込み部を含めた線状材及び支持部には延伸加工が施されていることを特徴とし、前記した挿し込み部には挿し込み操作用の突起部が複数個連続的に並設されていることを特徴としている。
【０００６】
【作用】
上記した構成としたことにより、例えば特願２００１−２１７５６９に示されるような取付装置（タギンガン）を用い、アタッチ部材を一本づつ、基材へ取り付けていくことができることとなり、従来、限定的であったアタッチ部材の使用用途が大きく広げられることとなり、様々な産業において有効に使用することができることとなるのである。
【０００７】
【発明の実施の形態】
次に、本発明の好ましい実施の形態を図面を参照して説明する。図１は本発明を実施したアタッチ部材の正面図、図２は同じく側面図、図３は同じく単品としたアタッチ部材の正面図、図４は同じく挿し込み部の側面図、図５は同じく底面図、図６は同じく受部の断面図、図７は同じく底面図、図８は同じくランナーから切り離したアタッチ部材の図、図９は同じくループを形成したアタッチ部材の図、図１０は本発明の他の実施例を示す図である。
【０００８】
これらの図にあって１は本発明を実施したアタッチ部材のアッセンブリを示している。このアッセンブリ１は単品として使用されるアタッチ部材２・２‥が並設されている。このアタッチ部材２・２‥は全体がプラスチックで成形されたものとされ、線状材３を有している。
【０００９】
この線状材３は延伸加工が施されており、腰が強く弾性を保有しており、折損や千切れ等の事故が生じることがない強靭なものとされている。この線状材３の一端には、本実施の形態では略直方体状に成形された受部４が一体に備えられているもので、その具備位置は受部４から見て底面の一方寄りに片寄せられて線状材３が保持された態様となっている。
【００１０】
この受部４にはその底面部分で、線状材３の保持位置と反対側に片寄せて、後述する挿し込み部５が挿し込まれる受穴６が設けられており、前後方向にループを形成後に挿し込み部５の先端部９が位置することとなる貫通孔７が形成されている。前記受穴６はこの貫通孔７内の中程まで突出された係止部８が形成されており、この係止部８は上面で貫通孔７に対し開口されており、スリット８ａ・８ａを形成されて、挿し込み部５の挿し込みに対して拡開し、すぼんで挿し込み部５が抜落しないようにロックすることとなる。尚、この係止部８の内面は挿し込み部５をガイドし、その挿し込み力を受けて拡開可能とするためテーパ面とされている。
【００１１】
一方、線状材３の他端には前記した受部４の受穴６に挿し込まれる挿し込み部５が一体に備えられている。この挿し込み部５は線状材３よりも大径に形成され、その先端部９はくびれ部１０を介して半球状に形成され、その後端面が係止部８と係合して抜け止めとなりロック状態とする係合となっている。また、挿し込み部５の両側面には挿し込み作業時の滑り止めとなる突起部１１・１１‥が複数個、所定のピッチで列設されている。
【００１２】
さらに、各アタッチ部材２・２‥の受部４・４‥の上面には支持部１２・１２‥が一体に設けられており、その支持部１２・１２‥の上端には抜け止め部１３が支持部１２と併せＴ字状を形成するように一体に備えられている。
【００１３】
また、この抜け止め部１３の上面にはカット部１４が一体に備えられ、各アタッチ部材２・２‥のカット部１４・１４‥はランナー１５に一体に連結されている。そして、カット部１４・１４‥の抜け止め部１３との接続部分は実際にカッターにより切断される個所として細径に成形されている。
【００１４】
このアタッチ部材はさらに、図１０として示すように構成することもできる。この図１０に示すアタッチ部材１６は線状材１７の一端に受部１８を、他端に挿し込み部１９を各々一体に備えている点では変わりはないが、この場合には線状材１７自体に連続して、挿し込み部１９側を半球状とした係合部２０・２０‥が所定の間隔で形成され、全体をビーズ状としてある。この場合、受部１８における受穴２１は左右方向となっているもので、この構成では線状材１７によって形成されるループの大きさが、線状材１７を引き絞ることで自在とされることとなる。なお、この構成のほか、線状材の両側面に連続して係合用のギザを形成することとしても同様の作用が得られるもので、前記した実施の形態と同様にランナーに複数本が並設され、アッセンブリが構成されることとなる。
【００１５】
本実施の形態に係るアタッチ部材は上記のように構成されている。このアタッチ部材２・２‥あるいは１６・１６‥のアッセンブリ１は既知のタグ吊持用ピン材の装着装置（タギンガン）にそのタグ吊持用ピン材のアッセンブリと同様にランナー１５部分が装填される。そして、装着装置のトリガーの操作によって、対象となる基材に刺し通された中空ニードルでガイドされ支持部１２が基材を貫通し、抜け止め部１３が対面側に送られて、アタッチ部材２・１６が基材に取り付けられることとなる。この作業の際にカット部１４は装着装置に設けられたカッターで切断され、アタッチ部材２・１６はランナー１５より離れ、単品状態とされる。装着装置は、送り機構で、アタッチ部材２・１６を一本づつ中空ニードルに対して送るため、取り付け作業は連続して行なうことができることとなる。
【００１６】
次に、本実施の形態に係るアタッチ部材２の使用例を説明する。まず、牡蠣の養殖用として使用できる筏の下面に垂設されるロープを基材としてアタッチ部材２・２‥を取り付ける。アタッチ部材２・２‥には各々に複数の養殖床となる牡蠣殻をそこに穿設された小孔を通して取り付ける。従来は、ロープの捩りをほぐしてテグスを貫通させ、牡蠣殻を取り付けた後にそのテグスの両端に結び目を作り、抜け止めとしていた。係る作業が本実施の形態のアタッチ部材２を用いることで格段に能率アップすることとなる。
【００１７】
また、ゲームセンターにおけるフィギュア落としゲームのフィギュアの吊持に使用でき、フィギュアの一部にアタッチ部材２を取り付け、吊持しておくことにする。
【００１８】
さらに、植物の支えとして使用でき、立設されたプラスチック等の支柱に縦方向に透孔を穿設し、その透孔にアタッチ部材２・２‥を取り付け、蔦等を抑える支えとできる。これは、ブドウ等の蔓のほか、苗木等を副木で支える際の支えとしても応用できる。
【００１９】
そして、図１０として示すようなアタッチ部材１６は、海苔の養殖用等としても使用され、勿論、植物の支柱への括り付けや結束用としても使用することができる。海苔の養殖用とした場合、海苔の胞子が収容された袋体を竹製の棒等に括り付けておくことで実行される。
【００２０】
【発明の効果】
本発明に係るアタッチ部材は上述のように構成され、使用される。そのため、ループを形成するアタッチ部材をアッセンブリとして既知の装着装置をそのまま利用し、連続的に、目的とする基材に取り付けていくことができることとなり、ループを形成するアタッチ部材の使用用途が大きく広げられ、種々の産業において、非常に有利なものとなる。
【図面の簡単な説明】
【図１】本発明を実施したアタッチ部材の正面図である。
【図２】側面図である。
【図３】単品としたアタッチ部材の正面図である。
【図４】挿し込み部の側面図である。
【図５】底面図である。
【図６】受部の断面図である。
【図７】底面図である。
【図８】ランナーから切り離したアタッチ部材の図である。
【図９】ループを形成したアタッチ部材の図である。
【図１０】本発明の他の実施例を示す図である。
【符号の説明】
１  アッセンブリ
２  アタッチ部材
３  線状材
４  受部
５  挿し込み部
６  受穴
７  貫通孔
８  係止部
９  先端部
１０  くびれ部
１１  突起部
１２  支持部
１３  抜け止め部
１４  カット部
１５  ランナー
１６  アタッチ部材
１７  線状材
１８  受部
１９  挿し込み部
２０  係合部
２１  受穴
【図１】
2004155441.tif 000003
【図２】
2004155441.tif 000004
【図３】
2004155441.tif 000005
【図４】
2004155441.tif 000006
【図５】
2004155441.tif 000007
【図６】
2004155441.tif 000008
【図７】
2004155441.tif 000009
【図８】
2004155441.tif 000010
【図９】
2004155441.tif 000011
【図１０】
2004155441.tif 000012